(57)【要約】【課題】  衝撃又は振動が生じても、弾性コンタクトの接点部と相手側接点部の間に瞬断が起こることがなく、安定した導通を行えるコネクタの弾性コンタクトを提供する。【解決手段】  コンタクト１は、第１のばね部１ｃと第２のばね部１ｅに２分割される。第１のばね部の湾曲部の頂点には、第１の接点部１ｃ１が形成され、第２のばね部の湾曲部の頂点には、第２の接点部１ｅ１が形成される。第１のばね部の固定部１ｂに対する傾斜方向と第２のばね部のそれは、反対方向である。接触パッド３が第１及び第２の各接点部に対して直交して接触する場合について説明する。第２のばね部の第２の接点部の変位が下側の矢印方向であるため、接触パッドが上方向に移動したとき、接触パッドと第２の接点部の間に瞬断が起こり得る。しかし、第１のばね部の第１の接点部の変位が上側の矢印方向であるため、第１の接点部が接触パッドに所要の圧力で接触しているので、第１の接点部は接触パッドと確実に導通している。【選択図】  図５
2005174699.tif 000002
【特許請求の範囲】
【請求項１】
コネクタの弾性変形可能なコンタクトにおいて、
前記コンタクトは、端子部と、固定部と、第１のばね部と、延長部と、第２のばね部とから一体に構成され、
前記第１のばね部と、前記延長部及び前記第２のばね部は、２分割されて前記固定部に連続し、
前記第１のばね部の湾曲部の頂点には、第１の接点部が形成され、
前記第２のばね部の湾曲部の頂点には、第２の接点部が形成され、
前記第１のばね部の前記固定部に対する傾斜方向と前記第２のばね部の前記固定部に対する傾斜方向は、反対方向であることを特徴とするコネクタの弾性コンタクト。
【請求項２】
前記第１のばね部の湾曲部と前記第２のばね部の湾曲部は略Ｖ字状に形成されることを特徴とする請求項１記載のコネクタの弾性コンタクト。
【請求項３】
請求項１又は２記載の弾性コンタクトと、前記弾性コンタクトを保持するインシュレータとから構成されることを特徴とするコネクタ。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｃｅ）、携帯型オーディオ及びカメラ等の電子機器に使用されるコネクタの弾性コンタクトに関し、更に詳しくいえば、耐衝撃性及び耐振動性を向上させることによって電気的瞬断が発生しないコネクタの接触構造の改良に関する。
【背景技術】
【０００２】
従来のコネクタの弾性コンタクトについて説明する（例えば、特許文献１参照。）。
【０００３】
コネクタの弾性変形可能なコンタクト１１は、図６に示されるように、金属材料から片持ち状のばねに構成される。コンタクト１１は、電子機器のプリント基板のコンタクトパッドに半田接続される端子部１１ａと、コネクタのインシュレータに固定される固定部１１ｂと、弾性変形することができるばね部１１ｃとから一体に構成される。ばね部１１ｃは、固定部１１ｂに対して若干の角度だけ折曲され、上方に突出してカード（ＩＣカード等）の接触パッドと当接する弧状の接点部１１ｃ３，１１ｃ４を先端側に有する。
【０００４】
コンタクト１１のばね部１１ｃは、その長手方向に沿って２つの分割ばね部１１ｃ１，１１ｃ２に分割されている。各分割ばね部１１ｃ１，１１ｃ２は、同一の材料、同一のめっき、同一の長さ及び同一の厚さで構成され、幅ｔａ，ｔｂのみが異なる。したがって、各分割ばね部１１ｃ１，１１ｃ２は、質量及びばね定数が異なるので、共振周波数（固有振動数）も異なる。
【０００５】
この種のコネクタの弾性コンタクトは、他の文献にも記載されている（例えば、特許文献２参照。）。
【０００６】
前記従来のコネクタの弾性コンタクトの問題点について、図７（Ａ）〜（Ｄ）に示される模式図を参照して説明する。ただし、コンタクト１１の形状は、説明の便宜上変形して示す。
【０００７】
コンタクト１１は、コネクタのインシュレータ１２に固定され、コンタクト１１の接点部１１ｃ３，１１ｃ４は、電池パック等の接触パッド１３に接続している。接触パッド１３は、衝撃又は振動が生じたとき、コンタクト１１に対して左右方向（離間方向又は接近方向）と上下方向に移動する。このとき、スティックスリップ現象が起きる。ここにいうスティックスリップ現象とは、コンタクト１１と接触パッド１３の滑り面の摩擦力がある程度大きい場合、コンタクト１１がある程度の弾性自由度を持っていると、接触パッド１３とコンタクト１１の相対運動が連続的とならないで間欠的となる現象をいう。
【０００８】
図７（Ａ）は、接触パッド１３がコンタクト１１に接触圧力を加えてばね部１１ｃを破線位置から実線位置まで弾性変形させた状態を示す。コンタクト１１の２つの接点部１１ｃ３，１１ｃ４の変位が矢印のように同一の下方向であるため、接触パッド１３が上方向に移動したとき、スティックスリップの恐れがあり、接触パッド１３とコンタクト１１の２つの接点部１１ｃ３，１１ｃ４の間に瞬断が起こり得る。
【０００９】
図７（Ｂ）の状態においては、コンタクト１１の２つの接点部１１ｃ３，１１ｃ４の変位が矢印のように同一の上方向であるため、接触パッド１３が下方向に移動したとき、図７（Ａ）の場合と同様に、瞬断が起こり得る。
【００１０】
図７（Ａ），（Ｂ）は、接触パッド１３がコンタクト１１の２つの接点部１１ｃ３，１１ｃ４に対して直交して接触する場合を示すが、接触パッド１３が２つの接点部１１ｃ３，１１ｃ４に対して直交しないで若干傾斜して接触する場合について図７（Ｃ），（Ｄ）を参照して説明する。図７（Ｃ），（Ｄ）において、実線で示されるばね部１１ｃは初期位置、破線で示されるばね部１１ｃは弾性変形後の位置である。
【００１１】
図７（Ｃ）に示される状態において、接触パッド１３が上方向に移動したとき、２つの接点部１１ｃ３，１１ｃ４が接触パッド１３から離間する傾向が生じるので、スティックスリップの恐れがあり、接触パッド１３と２つの接点部１１ｃ３，１１ｃ４の間に瞬断が起こり得る。
【００１２】
図７（Ｄ）に示される状態においては、接触パッド１３が下方向に移動したとき、図７（Ｃ）の場合と同様に、瞬断が起こり得る。
【特許文献１】特開２００２−１００４４０号公報（第５頁第７欄第１６行−第３７行、図６）
【特許文献２】特開２００２−２１６９１４号公報
【発明の開示】
【発明が解決しようとする課題】
【００１３】
前記従来のコネクタは、衝撃又は振動が生じたとき、弾性変形可能なコンタクト１１の２つの接点部１１ｃ３，１１ｃ４と接触パッド１３の間に瞬断が起こり得る。
【００１４】
そこで、本発明は、前記従来のコネクタの弾性コンタクトの欠点を改良し、衝撃又は振動が生じても、弾性コンタクトの接点部と相手側接点部の間に瞬断が起こることがなく、安定した導通を行うことができるコネクタの弾性コンタクトを提供しようとするものである。
【課題を解決するための手段】
【００１５】
本発明は、前記課題を解決するため、次の手段を採用する。
【００１６】
１．コネクタの弾性変形可能なコンタクトにおいて、前記コンタクトは、端子部と、固定部と、第１のばね部と、延長部と、第２のばね部とから一体に構成され、前記第１のばね部と、前記延長部及び前記第２のばね部は、２分割されて前記固定部に連続し、前記第１のばね部の湾曲部の頂点には、第１の接点部が形成され、前記第２のばね部の湾曲部の頂点には、第２の接点部が形成され、前記第１のばね部の前記固定部に対する傾斜方向と前記第２のばね部の前記固定部に対する傾斜方向は、反対方向であるコネクタの弾性コンタクト。
【００１７】
２．前記第１のばね部の湾曲部と前記第２のばね部の湾曲部は略Ｖ字状に形成される前記１記載のコネクタの弾性コンタクト。
【００１８】
３．前記１又は２記載の弾性コンタクトと、前記弾性コンタクトを保持するインシュレータとから構成されるコネクタ。
【発明の効果】
【００１９】
明細書の説明から明らかなように、本発明は、次の効果を奏する。
【００２０】
１．衝撃又は振動が生じても、弾性コンタクトの第１のばね部の固定部に対する傾斜方向と第２のばね部の固定部に対する傾斜方向は反対方向であるので、弾性コンタクトの第１及び第２の各接点部と相手側接点部の間に瞬断が起こることがなく、安定した導通が行われる。
【００２１】
２．弾性コンタクトの第１及び第２の各ばね部が略Ｖ字状に形成されているので、相手側接点部が弾性コンタクトの第１及び第２の各接点部に対して直交して接触しても、傾斜して接触しても、安定した導通が行われる。
【００２２】
３．弾性コンタクトは、構造が簡素であるため、製作が容易であり、また、コストが安価である。
【発明を実施するための最良の形態】
【００２３】
本発明の一実施例のコネクタの弾性コンタクトについて説明する。
【実施例１】
【００２４】
本発明の実施例１について図１〜図５を参照して説明する。
【００２５】
図１は、弾性変形可能な３本のコンタクト１がインシュレータ２に固定され、各コンタクト１の接点部１ｃ１，１ｅ１がインシュレータ２の表面から突出している状態を示すコネクタの斜視図である。各コンタクト１の詳細は、後述する。
【００２６】
図２は、コネクタの三面図であり、（Ａ）は平面図、（Ｂ）は正面図、（Ｃ）は右側面図を、それぞれ示す。
【００２７】
図３は、図２（Ａ）における断面図であり、（Ａ）は線Ａ−Ａによる断面図、（Ｂ）は線Ｂ−Ｂによる断面図を、それぞれ示す。
【００２８】
図４はコンタクト１の拡大斜視図であり、（Ａ）は表側から見たもの、（Ｂ）は裏側から見たものを、それぞれ示す。コンタクト１は、金属材料から片持ち状のばねに構成される。コンタクト１は、プリント基板（図示せず）のコンタクトパッドに半田接続される端子部１ａと、コネクタのインシュレータ２に固定される固定部１ｂと、弾性変形することができる第１のばね部１ｃと、延長部１ｄと、弾性変形することができる第２のばね部１ｅとから一体に構成される。第１のばね部１ｃと、延長部１ｄ及び第２のばね部１ｅは、２分割されて固定部１ｂに連続している。第１のばね部１ｃの略Ｖ字状の湾曲部の頂点には、第１の接点部１ｃ１が形成され、第２のばね部１ｅの略Ｖ字状の湾曲部の頂点には、第２の接点部１ｅ１が形成される。第１のばね部１ｃの固定部１ｂに対する傾斜方向と第２のばね部１ｅの固定部１ｂに対する傾斜方向は、反対方向である。
【００２９】
コンタクト１の作用効果を図５（Ａ），（Ｂ）を参照して説明する。実線で示された第１のばね部１ｃと第２のばね部１ｅは初期位置であり、破線で示された第１のばね部１ｃと第２のばね部１ｅは弾性変形後の位置である。
【００３０】
まず、接触パッド３が２つの接点１ｃ１，１ｅ１に対して直交して接触する場合について図５（Ａ）を参照して説明する。第２のばね部１ｅの第２の接点１ｅ１の変位が下側の矢印方向であるため、接触パッド３が上方向に移動したとき、接触パッド３と第２の接点１ｅ１の間に瞬断が起こり得る。しかし、第１のばね部１ｃの第１の接点１ｃ１の変位が上側の矢印方向であるため、第１の接点１ｃ１が接触パッド３に所要の圧力で接触しているので、第１の接点１ｃ１は接触パッド３と確実に導通している。また、接触パッド３が下方向に移動したとき、接触パッド３と第１の接点１ｃ１の間に瞬断が起こり得る。しかし、第２のばね部１ｅの第２の接点１ｅ１の変位が下側の矢印方向であるため、第２の接点１ｅ１が接触パッド３に所要の圧力で接触しているので、第２の接点１ｅ１は接触パッド３と確実に導通している。
【００３１】
次に、接触パッド３が２つの接点部１ｃ１，１ｅ１に対して直交しないで若干傾斜して接触する場合は、図５（Ｂ）に示されるが、接触パッド３と第１の接点１ｃ１及び第２の接点１ｅ１の間の瞬断と導通は、図５（Ａ）の場合と同様である。
【図面の簡単な説明】
【００３２】
【図１】本発明の実施例１に係るコネクタの斜視図である。
【図２】同コネクタの三面図であり、（Ａ）は平面図、（Ｂ）は正面図、（Ｃ）は右側面図を、それぞれ示す。
【図３】図２（Ａ）における断面図であり、（Ａ）は線Ａ−Ａによる断面図、（Ｂ）は線Ｂ−Ｂによる断面図を、それぞれ示す。
【図４】同コネクタの弾性変形可能なコンタクトの拡大斜視図であり、（Ａ）は表側から見たもの、（Ｂ）は裏側から見たものを、それぞれ示す。
【図５】同コネクタのコンタクトの接点部に接触パッドが接触している状態の断面図であり、（Ａ）は同接触パッドが同コンタクトの接点部に直交して接触する場合、（Ｂ）は同接触パッドが同コンタクトの接点部に傾斜して接触する場合を、それぞれ示す。
【図６】従来のコネクタの弾性コンタクトの斜視図である。
【図７】同コネクタの弾性コンタクトの問題点を説明するための模式的断面図であり、（Ａ）は接触パッドが同弾性コンタクトの２分割されたばね部の一方の接点部に直交して接触する場合、（Ｂ）は同接触パッドが同ばね部の他方の接点部に直交して接触する場合、（Ｃ）は同接触パッドが同ばね部の一方の接点部に傾斜して接触する場合、（Ｄ）は同接触パッドが同ばね部の他方の接点部に傾斜して接触する場合を、それぞれ示す。
【符号の説明】
【００３３】
１  コンタクト、弾性コンタクト
１ａ  端子部
１ｂ  固定部
１ｃ  第１のばね部
１ｃ１  第１の接点部
１ｄ  延長部
１ｅ  第２のばね部
１ｅ１  第２の接点部
２  インシュレータ
３  接触パッド
【図１】
2005174699.tif 000003
【図２】
2005174699.tif 000004
【図３】
2005174699.tif 000005
【図４】
2005174699.tif 000006
【図５】
2005174699.tif 000007
【図６】
2005174699.tif 000008
【図７】
2005174699.tif 000009